(57)【特許請求の範囲】
【請求項１】
貫通孔が形成された取付対象壁に、水栓取付用台座を取り付ける構造であって、
前記取付対象壁の厚みと略同じ間隔を隔てて配置される第１立ち上がり部と第２立ち上がり部を有し、さらにこれらの一端側を接続する接続部を有する、断面が凹状に形成された、前記貫通孔に前面側から挿入される挿入体を複数有し、
前記挿入体は、前記第１立ち上がり部と第２立ち上がり部によって前記取付対象壁を挟むようにして前記貫通孔の内方から前記取付対象壁に嵌め込み可能に構成されており、
前記挿入体は、前記取付対象壁に嵌め込まれた状態において、前記取付対象壁よりも前方に、前記水栓取付用台座の一部となる台座部を有しており、
前記複数の挿入体は、前記貫通孔を囲むようにして前記貫通孔の周方向に沿って並べて前記取付対象壁に嵌め込まれ、
前記貫通孔の前方側から挿入されると共に前記取付対象壁に嵌め込まれた前記複数の挿入体の前記接続部を前記貫通孔の周面へ押圧可能な押圧部材によって、前記複数の挿入体の前記接続部を前記貫通孔の周面へ押圧することで、複数の前記台座部で前記水栓取付用台座を形成すると共に前記水栓取付用台座を前記取付対象壁に固定することを特徴とする水栓取付用台座の取付構造。
【請求項２】
前記押圧部材は、筒状に形成された筒状部材であり、
前記筒状部材は、
軸方向における太さが略一定の太部と、
前記太部の後方に設けられ、軸方向における太さが前記太部よりも細い細部と、を有し、
前記細部は、前記太部へ近づくに従って前記軸方向における太さが前記太部の太さへ近づくよう傾斜した傾斜面をその外面に有しており、
前記筒状部材を前記細部から前記貫通孔に挿入することで、前記貫通孔を囲むようにして前記貫通孔の周方向に沿って並べて前記取付対象壁に嵌め込まれた前記複数の挿入体の前記接続部を、前記太部によって前記貫通孔の周面へ押圧することを特徴とする請求項１に記載の水栓取付用台座の取付構造。
【請求項３】
前記筒状部材は、円筒状に形成されていることを特徴とする請求項２に記載の水栓取付用台座の取付構造。
【請求項４】
前記挿入体の前記第１立ち上がり部は、前記取付対象壁に嵌め込まれた状態において、前記取付対象壁の前方側に位置し、
前記挿入体の前記台座部は、前記第１立ち上がり部によって構成されていることを特徴とする請求項１〜３のいずれかに記載の水栓取付用台座の取付構造。
【請求項５】
環状の弾性部材を有し、
前記複数の挿入体の前記接続部は、前記弾性部材を介して前記貫通孔の周面に押圧されることを特徴とする請求項１〜４のいずれかに記載の水栓取付用台座の取付構造。
【発明の詳細な説明】
【技術分野】
【０００１】
本発明は、水栓取付用台座の取付構造に関する。
【背景技術】
【０００２】
従来から、洗面化粧台等、手洗いや水飲みに使用する水を水槽で受ける水槽付き家具では、その水槽に近接して設けられる立壁を取付対象壁として、当該立壁に水栓を取り付ける構造が広く採用されている。
【０００３】
下記特許文献１には、洗面化粧台において水槽（ボール２）の奥側に立壁（壁面３）が設けられ、その立壁の背面側に給水管を配設する構造が開示されている。給水管の水槽側の端部は、立壁に形成された貫通孔（取付開口９）を挿通して前面側に引き出され、水栓（水栓本体４）と接続される。この水栓は、水栓取付用台座（取付金具１１）を介して立壁部の前面に取り付けられる。すなわち、立壁部の前面に固定された水栓取付用台座に水栓を取り付けることにより、水栓は立壁部の前面に取り付けられる。これにより、水栓と給水管との接続作業と、水栓の立壁部への取付作業を、立壁の前面側で行うことができる。
【先行技術文献】
【特許文献】
【０００４】
【特許文献１】特開平９−１４４０８３号公報
【発明の概要】
【発明が解決しようとする課題】
【０００５】
しかしながら、上記特許文献１記載の取付構造では、複数のネジ（ビス１２）によって台座を立壁の前面に固定しているため、立壁の前面にネジ孔を開設する作業が必要となり、製造コストの増大を招いていた。
【０００６】
また、ネジによる水栓取付用台座の固定強度を確保するため、ネジ孔を貫通孔から離れた位置に設けており、かつ、それらのネジ孔に挿入されたネジを前面から水栓で覆って隠しているため、水栓が大型化してしまう。仮に、カバー等の、水栓とは別個の部材を用いてネジを覆った場合でも、カバー等は大型化してしまうので、これによって意匠性が損なわれるという課題があった。
【０００７】
本発明はこのような課題に鑑みてなされたものであり、その目的は、水栓が取り付けられる水栓取付用台座を、水栓の取付対象壁にネジ孔を開設することなく、取付対象壁の手前側から取り付け可能にする水栓取付用台座の取付構造を提供することにある。
【課題を解決するための手段】
【０００８】
上記課題を解決するために、本発明に係る水栓取付用台座の取付構造は、貫通孔が形成された取付対象壁に、水栓取付用台座を取り付ける構造であって、前記取付対象壁の厚みと略同じ間隔を隔てて配置される第１立ち上がり部と第２立ち上がり部を有し、さらにこれらの一端側を接続する接続部を有する、断面が凹状に形成された、前記貫通孔に前面側から挿入される挿入体を複数有し、前記挿入体は、前記第１立ち上がり部と第２立ち上がり部によって前記取付対象壁を挟むようにして前記貫通孔の内方から前記取付対象壁に嵌め込み可能に構成されており、前記挿入体は、前記取付対象壁に嵌め込まれた状態において、前記取付対象壁よりも前方に、前記水栓取付用台座の一部となる台座部を有しており、前記複数の挿入体は、前記貫通孔を囲むようにして前記貫通孔の周方向に沿って並べて前記取付対象壁に嵌め込まれ、前記貫通孔の前方側から挿入されると共に前記取付対象壁に嵌め込まれた前記複数の挿入体の前記接続部を前記貫通孔の周面へ押圧可能な押圧部材によって、前記複数の挿入体の前記接続部を前記貫通孔の周面へ押圧することで、複数の前記台座部で前記水栓取付用台座を形成すると共に前記水栓取付用台座を前記取付対象壁に固定することを特徴とする。
【０００９】
水栓を取付対象壁に取り付けた状態においては、使用者が水栓に不意に力をかけてしまった場合に、水栓の根元に大きな力がかかりやすい。したがって、水栓の根元を支持する支持部材には破損が生じやすい。本発明に係る水栓取付用台座の取付構造は、水栓と水栓を支持する水栓取付用台座を別部材で設けているため、そのように水栓に大きな力がかかり、水栓取付用台座が破損したとしても、水栓取付用台座のみを交換すれば良いため、水栓自体を交換する必要がなく、維持費用を抑えることができる。
【００１０】
また、本発明に係る水栓取付用台座の取付構造は、第１立ち上がり部と第２立ち上がり部によって取付対象壁を挟むようにして貫通孔の内方から取付対象壁に嵌め込み可能に構成された複数の挿入体を、貫通孔を囲むようにして貫通孔の周方向に沿って並べて取付対象壁に嵌め込み、前方側から挿入された押圧部材によって複数の挿入体を貫通孔の外方に向かって拡張させることで、第１立ち上がり部と第２立ち上がり部を接続する接続部を貫通孔の周面へ押圧し、取付対象壁に複数の挿入体を固定している。挿入体は、水栓取付用台座の一部となる台座部を有しおり、複数の挿入体が取付対象壁に固定された際に、複数の台座部によって、水栓取付用台座を形成するよう構成しているため、立壁にネジ孔を開設する作業が不要となり、製造コストの増大を抑制することが可能となる。また、ネジを覆い隠すために水栓を大型化させたり、カバー等の別個の部材を用意したりする必要もないため、意匠性が損なわれることもない。さらに、取付対象壁に所定の大きさの貫通孔を設けておくだけで、使用者の好みに応じて、デザインや機能が異なる別の水栓に交換することも容易となる。
【００１１】
また、本発明に係る水栓取付用台座の取付構造では、前記押圧部材は、筒状に形成された筒状部材であり、前記筒状部材は、軸方向における太さが略一定の太部と、前記太部の後方に設けられ、軸方向における太さが前記太部よりも細い細部と、を有し、前記細部は、前記太部へ近づくに従って前記軸方向における太さが前記太部の太さへ近づくよう傾斜した傾斜面をその外面に有しており、前記筒状部材を前記細部から前記貫通孔に挿入することで、前記貫通孔を囲むようにして前記貫通孔の周方向に沿って並べて前記取付対象壁に嵌め込まれた前記複数の挿入体の前記接続部を、前記太部によって前記貫通孔の周面へ押圧することも好ましい。
【００１２】
この好ましい態様では、押圧部材は、軸方向における太さが略一定の太部と、太部の後方に設けられ、軸方向における太さが太部よりも細い細部を有する筒状部材によって構成されている。この筒状部材を貫通孔の前方側から挿入することで、貫通孔を囲むようにして貫通孔の周方向に沿って並べて取付対象壁に嵌め込まれた複数の挿入体を太部によって貫通孔の外方側に拡張させ、複数の挿入体の接続部を貫通孔の周面へ押圧させることができる。また、筒状部材を挿入する際には、太部へ近づくに従って軸方向における太さが太部の太さへ近づくよう傾斜した傾斜面をその外面に有する細部から先に貫通孔に挿入することで、筒状部材を貫通孔に挿入しやすくなる。このように、簡単な構成で、押圧部材を挿入しやすくし、取付対象壁に複数の挿入体を固定する際の作業性を高めることができる。
【００１３】
また、本発明に係る水栓取付用台座の取付構造では、前記筒状部材は、円筒状に形成されていることも好ましい。
【００１４】
この好ましい態様では、筒状部材が円筒状に形成されているため、筒状部材を貫通孔の前方側から挿入する際に、筒状部材の軸方向周りの角度調整等の作業が必要ない。したがって、水栓取付用台座を取付対象壁に固定させる際の作業性をより高めることができる。
【００１５】
また、本発明に係る水栓取付用台座の取付構造では、前記挿入体の前記第１立ち上がり部は、前記取付対象壁に嵌め込まれた状態において、前記取付対象壁の前方側に位置し、
前記挿入体の前記台座部は、前記第１立ち上がり部によって構成されていることも好ましい。
【００１６】
この好ましい態様では、挿入体の台座部を第１立ち上がり部によって構成しているため、別途、台座部を挿入体に設ける必要がなく、挿入体をコンパクトに構成することができる。したがって、水栓取付用台座を取付対象壁に固定させる際の作業性をより高めることができる。
【００１７】
また、本発明に係る水栓取付用台座の取付構造では、環状の弾性部材を有し、前記複数の挿入体の前記接続部は、前記弾性部材を介して前記貫通孔の周面に押圧されることも好ましい。
【００１８】
この好ましい態様では、接続部を、弾性部材を介して貫通孔の周面に押圧することで、接続部を隙間なく貫通孔の周面に押圧させることができるため、取付対象壁に固定された水栓取付用台座のがたつきを防止できる。したがって、水栓取付用台座に水栓を取り付けた後に水栓ががたつくことを防止できる。
【発明の効果】
【００１９】
本発明の水栓取付用台座の取付構造によれば、水栓の取付対象壁にネジ孔を開設することなく、水栓が取り付けられる水栓取付用台座を取付対象壁の手前側から取り付けることができる。
【図面の簡単な説明】
【００２０】
【図１】本発明の第１実施形態に係る洗面化粧台の斜視図。
【図２】第１実施形態に係る吐水スパウト５０の立壁１１への取付構造を示すための分解斜視図。
【図３】挿入体８０および押圧部材９０を貫通孔１３に挿入するときの様子を示す模式図。
【図４】挿入体８０および押圧部材９０を貫通孔１３に挿入するときの様子を示す模式図。
【図５】台座８２を立壁１１に対して固定した状態を示す縦断面図。
【発明を実施するための形態】
【００２１】
以下、添付図面を参照しながら本発明の実施の形態について説明する。説明の理解を容易にするため、各図面において同一の構成要素に対しては可能な限り同一の符号を付して、重複する説明は省略する。
【００２２】
本発明の実施形態である図１を参照して、本発明の第１実施形態に係る洗面化粧台の構成を説明する。図１は、本発明の第１実施形態に係る洗面化粧台の斜視図である。
【００２３】
図１に示すように、洗面化粧台１は、洗面室床Ｆに載置されるとともに、その背面を洗面室壁Ｗに当接させて設置されている。洗面化粧台１は、カウンター１０と、化粧鏡ユニット２０と、キャビネット３０と、水栓６０を備えている。
【００２４】
カウンター１０は、その背面が洗面室壁Ｗに直接又は固定のための金具等を介して間接的に取り付けられており、略垂直な前面を有する立壁１１と、その立壁１１の前面側に設けられる水槽１２を有する。立壁１１と水槽１２は、樹脂材料で一体的に形成されている。水槽１２は椀状に形成され、その内部で水を受けるとともに、その水を貯留することも可能である。水槽１２の下面には、受けた水を下方に排出するための排水口（図示せず）が形成されており、排出された水は、この排水口に接続される排水管（図示せず）によって下水管側に導かれる。
【００２５】
化粧鏡ユニット２０は箱状に形成され、内部に歯ブラシ等を収納可能である。図１に示すように、化粧鏡ユニット２０は立壁１１上に配置されるとともに、背面が洗面室壁Ｗに対し直接又は間接的に取り付けられている。また、その前面には、使用者の姿を映す化粧鏡２１が取り付けられており、その上部には、前方に投光する照明２２を備えている。
【００２６】
キャビネット３０は、カウンター１０の下方に配置されており、左右一対の側板３１Ｌ、３１Ｒと、前面を構成する扉３２を備えている。洗面化粧台１の使用者は、扉３２を開閉することで、前方から内部の収納空間にアプローチし、収納や取り出しを行うことができる。
【００２７】
水栓６０は、カウンター１０の立壁１１に取り付けられ、吐水スパウト（吐水部）５０と湯水混合栓４０を備えている。すなわち、立壁１１が水栓および水栓が取り付けられる後述する台座７０（水栓取付用台座）の取付対象壁となっている。
【００２８】
吐水スパウト５０は、立壁１１の背面のフレキシブルホース（図示せず）に接続されている。また、湯水混合栓４０の前方側には、ハンドルＨが取り付けられる。使用者は、このハンドルＨを操作することで、図示しない給水管および給湯管から湯水混合栓４０に流入する湯と水の流量を変更し、吐水口５１から吐出する湯水の温度や流量を調節することができる。
【００２９】
次に、図２を参照して、水栓６０の取付構造について説明する。特に、図２では、水栓６０の吐水スパウト５０の取付構造について説明する。
【００３０】
図２は、台座８２の立壁１１への取付構造および台座８２への吐水スパウト５０の取付構造を示すための分解斜視図であり、図２に示すように、台座８２は、立壁１１に固定される２つの挿入体８０（８０ａ、８０ｂ）によって形成される。２つの挿入体８０は、同一の形態を有しており、その形態は、所定の間隔をあけて外方に突出する２つのフランジ状の突出部を有する円筒体を、その軸方向に２つに分割して形成される半割体のような形態を有している。それぞれの挿入体８０の２つの突出部８１、８２１は、立壁１１の厚みと略同一の間隔をあけて設けられている。本実施形態においては、この間隔を、立壁１１の厚みよりもわずかに大きく設けている。なお、本実施形態における立壁１１は、貫通孔１３の周縁から後方に突出する突起１１ａを有しており、本実施形態における立壁１１の厚みとは、貫通孔１３周縁の立壁１１の前面から突起１１ａの後方側の端面までの長さＴを指すものである。また、突出部８２１の前面側には、前方に延出した、断面が円弧状の突出部８４が設けられている。
【００３１】
台座８２は、２つの挿入体８０の前方側の突出部８２１（台座部）が貫通孔１３の円周方向に沿って配置されることによって形成されるよう構成されている。
【００３２】
挿入体８０の後方側の突出部８１は、貫通孔１３に挿入可能な程度の長さに突出しており、挿入体８０は、貫通孔１３の前方から、突出部８１を挿入し、２つの突出部８１、８２１、および、２つの突出部８１、８２１を接続している接続部８３とによって形成される凹部８５に貫通孔１３周縁の立壁１１を２つの突出部８１、８２１で挟むようにして、立壁１１に嵌め込ませることができる。
【００３３】
２つの挿入体８０は、貫通孔１３の周方向に沿って、貫通孔１３を囲むようにして、所定の間隔をあけて立壁１１に嵌め込まれるが、嵌め込む前に、環状のパッキン１００（弾性部材）を接続部８３と貫通孔１３の周面１３ａ（貫通孔１３を形成する立壁１１の内周面）との間に介在させるようにしている。
【００３４】
そして、２つの挿入体８０を立壁１１に嵌め込んだ状態で、２つの挿入体８０の接続部８３を貫通孔１３の周面１３ａに押圧する力を加えるための押圧部材９０を、２つの挿入体８０の間に前方から挿入し、２つの挿入体８０を立壁１１に固定する。ここで、押圧部材９０は円筒状に形成された筒部９１（円筒部材）と、筒部９１の前方側端部から外方に突出するフランジ９２を有している。
【００３５】
筒部９１は、軸方向における太さが略一定（外径が略一定）の太部９１ａと、太部９１ａの後方に設けられ、軸方向における太さが太部９１ａよりも細い細部９１ｂを有している。細部９１ｂは、太部９１ａへ近づくに従って軸方向における太さが太部９１ａの太さへ近づくよう傾斜した傾斜面９１ｂａをその外面に有している。より具体的には、前方に向かうに従って拡径する形態を有しており、細部９１ｂの前端は太部９１ａの後端に一体的に接続されている。
【００３６】
太部９１ａは、２つの挿入体８０の接続部８３を貫通孔１３の周面１３ａに押圧可能な太さ（外径）に構成されている。また、細部９１ｂの後方側の先端の外径は、作業者がパッキン１００を介して２つの挿入体８０を立壁１１に嵌め込み、パッキン１００を介して、接続部８３が軽く周面１３ａに押圧されている状態における、２つの挿入体８０の内周面によって囲まれる挿入空間Ｓの外径よりもやや小さく形成されている。これにより、押圧部材９０を挿入空間Ｓに挿入する際、押圧部材９０を簡単に挿入できるようになる。
【００３７】
図３および図４は、台座８２を固定する際の様子を示す模式図である。図３は、挿入体８０および押圧部材９０を貫通孔１３に挿入する前の様子を示しており、図４は、挿入体８０を貫通孔１３に挿入した後、押圧部材９０を挿入空間Ｓに挿入している様子を示す図である。
【００３８】
図３に示すように、２つの挿入体８０は、円筒状になるように向かい合わせにされた状態で貫通孔１３に挿入される。この状態においては、２つの挿入体８０の突出部８１により形成される外径Ｄ２は、貫通孔１３の外径Ｄ１よりわずかに小さくなる。
【００３９】
なお、貫通孔１３へ挿入する前に、２つの挿入体８０の凹部８５にはパッキン１００を嵌め込む。このようにパッキン１００が嵌め込まれた２つの挿入体８０を、貫通孔１３の周面１３ａと挿入体８０の接続部８３が相対する位置まで挿入する。そして、作業者は、接続部８３を、パッキン１００を介して貫通孔１３の周面１３ａに軽く押圧するように指で２つの挿入体８０を貫通孔１３の周面１３ａへ押し広げる。この状態で押圧部材９０を細部９１ｂ側から挿入する。この際、細部９１ｂによって、貫通孔１３の軸心と押圧部材９０の軸心が一致するように案内され、図４に示すように、太部９１ａによって、２つの挿入体８０が外方側に拡張され、接続部８３が貫通孔１３の周面１３ａに押圧される。押圧部材９０は、フランジ９２が挿入体８０の突出部８４に当接するまで挿入される。
【００４０】
図５は、このようにして固定された２つの挿入体８０の様子を示す斜視断面図である。貫通孔１３の周面１３ａにパッキン１００を介して押圧された２つの挿入体８０は、２つの突出部８１、８２１によって前後方向への移動を規制することができ、安定して挿入体８０を立壁１１に固定することができる。また、２つの挿入体８０は、貫通孔１３の周方向に沿って、貫通孔１３を囲むようにして、所定の間隔をあけて立壁１１に固定されているため、より周面１３ａへの押圧力を作用させやすい。
【００４１】
また、本実施形態においては、２つの挿入体８０の突出部８２１ａ、８２１ｂにより、吐水スパウト５０を取り付ける台座８２を形成するように構成している。２つの挿入体８０のそれぞれの突出部８２１の外周面には、ネジ孔８６が設けられており、吐水スパウト５０の上面と下面に設けられた図示しないネジ孔および突出部８２１のネジ孔８６にネジ６１を螺合させることにより、吐水スパウト５０は台座８２に取り付けられる。
【００４２】
本実施形態においては、２つの挿入体８０の突出部８２１により吐水スパウト５０を取り付ける台座８２を形成するよう構成しているため、別途台座８２を構成する部材を設けることなく台座８２を形成でき、挿入体８０をよりコンパクトにできる。したがって、挿入体８０の立壁１１への取付作業性を高めることができる。
【００４３】
また、パッキン１００を介して挿入体８０の接続部８３を周面１３ａに押圧させるため、台座８２のがたつきを防止でき、水栓６０の使い勝手を低下させる恐れもない。
【００４４】
また、押圧部材９０の筒部９１が円筒状に形成されているため、筒部９１を貫通孔１３の前方側から挿入する際に、筒部９１の軸方向周りの角度調整等の作業が必要ない。したがって、筒部９１を挿入する際の作業性をより高めることができる。
【００４５】
本実施形態では、以上のように、立壁１１にネジ孔を開設する作業が不要となり、製造コストの増大を抑制することが可能となる。また、ネジを覆い隠すために吐水スパウト５０などの水栓を大型化させたり、カバー等の別個の部材を用意したりする必要もないため、意匠性が損なわれることもない。さらに、立壁１１に所定の大きさの貫通孔を設けておくだけで、使用者の好みに応じて、デザインや機能が異なる別の水栓に交換することも容易となる。また、台座８２に吐水スパウト５０などの水栓を取り付けるようにすることで、メンテナンスの際に水栓のみを取り外せば良く、都度、台座８２を立壁１１へ着脱する必要がないため、メンテナンスの手間を低減させることができる。
【００４６】
なお、本実施形態では、挿入体８０を２つのみ用いていたが、３つ以上の挿入体を立壁１１に固定して台座８２を形成するようにすることで、台座８２を立壁１１に固定しても構わない。このように３つ以上の挿入体を用いる場合であっても、貫通孔１３の周方向に沿って、貫通孔１３を囲むようにして複数の挿入体を配置することで、複数の挿入体を立壁１１に固定することができる。また、複数の挿入体は貫通孔１３の周方向に沿って等間隔で配置されることが、より押圧力が作用しやすいため、より好ましい。
【００４７】
また、本実施形態では、立壁１１は、貫通孔１３の周縁から後方に突出する突起１１ａを有していたが、このような突起１１ａを有していなくても構わない。この場合、立壁１１の厚みとは、貫通孔１３の周縁の立壁１１の厚みを指す。
【００４８】
また、本実施形態においては、水栓６０の吐水スパウト５０を台座８２に取り付ける構成としたが、湯水混合栓４０を台座８２に取り付ける構成としても構わない。また、例えば、本発明における水栓には、吐水スパウト５０からの吐止水を制御するための電気的な操作手段（リモコンなど）も含まれるものであり、台座８２にはこのような手段を取り付けるものであっても構わない。
【符号の説明】
【００４９】
１：洗面化粧台
１０：カウンター
１１：立壁（取付対象壁）
１３：貫通孔
１３ａ：周面
４０：湯水混合栓
５０：吐水スパウト
６０：水栓
６１：ねじ
８０：挿入体
８１：突出部（第２立ち上がり部）
８２：台座（水栓取付用台座）
８２１：突出部（第１立ち上がり部、台座部）
８３：接続部
９０：押圧部材
９１：筒部（筒状部材）
９１ａ：太部
９１ｂ：細部
９１ｂａ：傾斜面
１００：パッキン（弾性部材）
【図１】
0006489501.tif 000002
【図２】
0006489501.tif 000003
【図３】
0006489501.tif 000004
【図４】
0006489501.tif 000005
【図５】
0006489501.tif 000006